(57)【特許請求の範囲】
【請求項１】
第１光源及び第２光源の出射光を両端面の入射面からそれぞれ入射して導光する細長状の導光体を備え、前記導光体から照明光を出射して照明を行う照明装置において、前記導光体の長手方向の所定位置に、導光を反射または拡散することにより前記導光体から出射される照明光を均一にするための導光可変部を設けてなり、
前記導光可変部が反射シートから成るとともに、前記導光体の周縁から所定距離離れて前記反射シートを配置したことを特徴とする照明装置。
【請求項２】
前記導光体が互いに対向する対向面を有して長手方向に並設される第１導光部及び第２導光部を備えるとともに、前記対向面の周部に面取りを施し、前記反射シートを該面取りの内周側に配したことを特徴とする請求項１に記載の照明装置。
【請求項３】
第１光源及び第２光源の出射光を両端面の入射面からそれぞれ入射して導光する細長状の導光体を備え、前記導光体から照明光を出射して照明を行う照明装置において、前記導光体の長手方向の所定位置に、導光を反射または拡散することにより前記導光体から出射される照明光を均一にするための導光可変部を設けてなり、
前記導光可変部が前記所定位置に粗面化処理を施して形成されることを特徴とする照明装置。
【請求項４】
第１光源及び第２光源の出射光を両端面の入射面からそれぞれ入射して導光する細長状の導光体を備え、前記導光体から照明光を出射して照明を行う照明装置において、前記導光体の長手方向の所定位置に、導光を反射または拡散することにより前記導光体から出射される照明光を均一にするための導光可変部を設けてなり、
前記導光体が互いに対向する対向面を有して長手方向に並設される第１導光部及び第２導光部を備え、前記導光体に凹設した溝部により前記対向面を形成するとともに前記対向面に前記導光可変部を配し、第１導光部及び第２導光部が前記溝部の外側に形成される連結部で連続することを特徴とする照明装置。
【請求項５】
前記導光体を覆う筒状のカバーを備え、前記カバーが前記導光体の出射光を拡散反射する拡散材を含有することを特徴とする請求項１〜請求項４のいずれかに記載の照明装置。
【発明の詳細な説明】
【技術分野】
【０００１】
本発明は、光源からの入射光を導光して周面から出射する導光体を備えた照明装置に関する。
【背景技術】
【０００２】
従来の照明装置は特許文献１に開示されている。この照明装置は対向配置されたＬＥＤから成る光源と、光源に両端面を対向して光を導光する細長状の導光体とを備えている。導光体の周面の所定領域には長手方向に渡って光を拡散反射する拡散部が粗面化処理や所定のパターン印刷等により形成される。
【０００３】
光源から出射される光は導光体の両端面から導光体に入射して導光する。導光体を導光して拡散部に到達した光は拡散反射し、導光体の周面から出射される。これにより、導光体の長手方向に渡って周面から照明光が出射され、一方向に広い範囲の照明が行われる。
【先行技術文献】
【特許文献】
【０００４】
【特許文献１】特開２０１０−１０３７４２号公報（第５頁−第１０頁、第１図）
【発明の概要】
【発明が解決しようとする課題】
【０００５】
しかしながら、上記従来の照明装置によると、長手方向に延びる導光体の両端に光源が配されるため、導光体の長手方向の中央部で照明装置の照明光が暗くなる問題があった。
【０００６】
本発明は、照明光の明るさを均一にできる照明装置を提供することを目的とする。
【課題を解決するための手段】
【０００７】
上記目的を達成するために本発明は、第１光源及び第２光源の出射光を両端面の入射面からそれぞれ入射して導光する細長状の導光体を備え、前記導光体から照明光を出射して照明を行う照明装置において、前記導光体の長手方向の所定位置に、導光を反射または拡散することにより前記導光体から出射される照明光を均一にするための導光可変部を設けてなることを特徴としている。
【０００８】
この構成によると、第１光源の出射光は導光体の一端の入射面から導光体に入射して導光される。第２光源の出射光は導光体の他端の入射面から導光体に入射して導光される。導光体の周面に臨界角よりも小さい入射角で到達した光は導光体から出射され、照明を行う。導光体の所定位置に到達した光は導光可変部により反射または拡散され、照明光を均一にして出射される。
【０００９】
また本発明は、上記構成の照明装置において、前記導光可変部が反射シートから成ることを特徴としている。この構成によると、導光体を導光された光は反射シートで反射し、入射面に向かって導光する。
【００１０】
また本発明は、上記構成の照明装置において、前記導光体の周縁から所定距離離れて前記反射シートを配置したことを特徴としている。この構成によると、導光体の周面から照明光が出射されるとともに、反射シートの周囲から照明光が出射される。
【００１１】
また本発明は、上記構成の照明装置において、前記導光体が互いに対向する対向面を有して長手方向に並設される第１導光部及び第２導光部を備えるとともに、前記対向面の周部に面取りを施し、前記反射シートを該面取りの内周側に配したことを特徴としている。この構成によると、第１光源の出射光は第１導光部の入射面から導光体に入射して導光される。第２光源の出射光は第２導光部の入射面から導光体に入射して導光される。第１、第２導光部を導光して反射シートに到達した光が反射シートで反射するとともに、反射シートの周囲の面取りから出射される。
【００１２】
また本発明は、上記構成の照明装置において、前記導光可変部が前記所定位置に粗面化処理を施して形成されることを特徴としている。この構成によると、導光体に導光されて粗面化処理を施した所定位置に到達した光は拡散透過し、拡散した光の一部が照明光として出射される。
【００１３】
また本発明は、上記構成の照明装置において、前記導光体が互いに対向する対向面を有して長手方向に並設される第１導光部及び第２導光部を備え、前記導光可変部が前記対向面を傾斜した傾斜面により形成されることを特徴としている。この構成によると、第１導光部及び第２導光部に導光されて傾斜面から成る対向面に到達した光の一部は傾斜面で反射し、導光体の周面から出射される。
【００１４】
また本発明は、上記構成の照明装置において、前記導光体が互いに対向する対向面を有して長手方向に並設される第１導光部及び第２導光部を備え、前記導光体に凹設した溝部により前記対向面を形成するとともに前記対向面に前記導光可変部を配し、第１導光部及び第２導光部が前記溝部の外側に形成される連結部で連続することを特徴としている。この構成によると、溝部の壁面により形成される対向面に到達した光は導光可変部で反射または拡散し、照明光を均一にして出射される。また、溝部の外側で第１、第２導光部を連結した連結部の周面から照明光が出射される。
【００１５】
また本発明は、上記構成の照明装置において、前記導光体を覆う筒状のカバーを備え、前記カバーが前記導光体の出射光を拡散反射する拡散材を含有することを特徴としている。この構成によると、導光体の出射光がカバーにより拡散して照明が行われる。
【発明の効果】
【００１６】
本発明によると、長手方向に延びる導光体の照明光の明るさを均一にすることができる。
【図面の簡単な説明】
【００１７】
【図１】本発明の第１実施形態の照明装置の概略を示す正面断面図
【図２】図１のＡ部詳細図
【図３】本発明の第１実施形態の照明装置の導光体の中央部を示す上面図
【図４】図１のＢ部詳細図
【図５】本発明の第１実施形態の照明装置を示す側面図
【図６】図４のＣ−Ｃ断面図
【図７】本発明の第２実施形態の照明装置の導光体の中央部を示す正面図
【図８】本発明の第２実施形態の照明装置の導光体の中央部を示す上面図
【図９】本発明の第３実施形態の照明装置の導光体の中央部を示す正面図
【図１０】本発明の第３実施形態の照明装置の導光体の中央部を示す上面図
【図１１】本発明の第４実施形態の照明装置の導光体の中央部を示す正面図
【図１２】本発明の第５実施形態の照明装置の導光体の中央部を示す正面図
【図１３】本発明の第６実施形態の照明装置の導光体の中央部を示す正面図
【発明を実施するための形態】
【００１８】
以下に本発明の実施形態を図面を参照して説明する。図１は第１実施形態の照明装置の概略を示す正面断面図である。照明装置１は一方向に延びた所謂、直管型ＬＥＤ照明装置であり、筒状のカバー２０により外面が覆われる。カバー２０はポリカーボネート（ＰＣ）等の樹脂により形成され、光を拡散反射する拡散材（不図示）を含有する。カバー２０内には両端に配置されたＬＥＤから成る光源２、３間に細長状の導光体１０が配置される。
【００１９】
光源２、３にはアルミニウム等から成るヒートシンク４が熱接触する。ヒートシンク４は長手方向に所定距離離れて導光体１０の両端部の周面に夫々対向して配される。ヒートシンク４が導光体１０の長手方向の全長に渡っては設けられておらず、導光体１０の両端部に光源２、３からの熱を放熱するために必要な長さのみ設けられてある。即ち、導光体１０の中央部分の周面にはヒートシンク４が設けられていないので、導光部１０の中央部にはヒートシンク４から熱が直接伝わらないようにすることができる。これにより、照明装置１を軽量化して長手方向の中央部の撓みを軽減するとともに、ヒートシンク４による遮光を低減することができる。
【００２０】
図２は図１のＡ部の詳細を示し、導光体１０の長手方向の中央部の正面図を示している。また、図３は導光体１０の長手方向の中央部の上面図を示している。導光体１０はアクリル等により形成され、長手方向に並設された第１導光部１１及び第２導光部１２を有している。第１導光部１１及び第２導光部１２は略同じ長さに分離して別体に形成され、一端面の入射面１１ａ、１２ａ（図１参照）にそれぞれ光源２、３（図１参照）が対向配置される。入射面１１ａ、１２ａから導光体１０に入射した光は導光体１０内に導光される。
【００２１】
導光体１０に導光された光の非出射面を形成する底面１０ｄには導光を乱反射して拡散させる拡散部１０ｂが所定のパターンの印刷によって長手方向に連設して形成される。拡散部１０ｂをサンドブラスト等による粗面化処理により形成してもよい。
【００２２】
第１導光部１１及び第２導光部１２の端面から成る対向面１１ｂ、１２ｂは導光体１０の長手方向の中央部で互いに対向する。対向面１１ｂ、１２ｂ間には反射シート１３が設けられる。反射シート１３は白色のポリエチレンテレフタラート（ＰＥＴ）等から成り、導光体１０の導光を反射する。
【００２３】
図４は図１の照明装置１の一方の端部であるＢ部詳細図を示しており、照明装置１の他方の端部も同様に構成される。導光体１０及びヒートシンク４は後述するようにカバー２０により保持される。
【００２４】
導光体１０の下方には底面１０ｄに対向して白色のポリエチレンテレフタラート（ＰＥＴ）等から成る反射シート１４が配される。反射シート１４によって底面１０ｄから出射される光が導光体１０側に反射され、光の利用効率を高くすることができる。
【００２５】
導光体１０の両端部には導光棒押え１５が被嵌され、導光棒押え１５にはヒートシンク押え５が取り付けられる。導光棒押え１５とヒートシンク押え５との間に光源２及びヒートシンク４が挟持される。光源２とヒートシンク４との間には無機熱伝導性フィラーを含有するシリコンゴム等により形成された熱伝導性の弾性体７が挟まれる。これにより、ヒートシンク４が光源２に熱接触する。
【００２６】
導光棒押え１５及びヒートシンク押え５により一体化された導光体１０の組品にはジョイント６が取り付けられる。ジョイント６はポリブチレンテレフタレート（ＰＢＴ）やポリカーボネート（ＰＣ）等の樹脂により形成される。また、ジョイント６はカバー２０の開口面を塞ぐ金属製の口金９に取り付けられる。この時、弾性体７と同様の熱伝導性の弾性体８がジョイント６の内部に配され、ヒートシンク４と口金９とが熱接触する。これにより、光源２、３の発熱がヒートシンク４及び口金９を介して放熱される。口金９には電源回路（不図示）に接続される端子９ａが設けられる。
【００２７】
図５は照明装置１の口金９及びジョイント６を省いた状態の側面図を示している。また、図６は図４のＣ−Ｃ断面図を示している。導光体１０は底面１０ｄが平面の略台形の断面形状を有し、周面から対向する二方向に突出した鍔部１０ａが形成される。
【００２８】
カバー２０には導光体１０の底面１０ｄに対して略平行な複数のリブ２０ａ、２０ｂ、２０ｃが図中、上方から順に内周面から突出して設けられる。リブ２０ａ及びリブ２０ｂによって第１嵌合部２１が形成され、リブ２０ｂ及びリブ２０ｃによって第２嵌合部２２が第１嵌合部２１の図中、下方に並んで形成される。
【００２９】
鍔部１０ａ及びリブ２０ａ、２０ｂは導光体１０の長手方向に延設され、鍔部１０ａが第１嵌合部２１に嵌合する。これにより、導光体１０がカバー２０に保持され、第１嵌合部２１によって導光体１０を保持する導光体保持部が構成される。尚、本実施形態では鍔部１０ａ及びリブ２０ａ、２０ｂが導光体１０の長手方向の全長に亘って連続的に延設されている。鍔部１０ａ及びリブ２０ａ、２０ｂのいずれかを導光体１０の長手方向に分割して非連続的に複数設けて並設してもよい。
【００３０】
この時、導光体１０の底面１０ｄに面して配される反射シート１４は鍔部１０ａとともに第１嵌合部２１に嵌合して挟持される。これにより、反射シート１４を導光体１０の底面１０ｄに接着する必要がなく、両面テープ等の接着部材による反射率の低下を防止することができる。
【００３１】
また、図中、上方のリブ２０ａには第１嵌合部２１内に突出する突起部２０ｄが設けられる。鍔部１０ａには外周側を薄く形成した段差部１０ｅが設けられる。突起部２０ｄが段差部１０ｅに当接することにより、導光体１０の図中、左右方向の移動を規制して導光体１０を位置決めすることができる。
【００３２】
リブ２０ｂとリブ２０ｃとの間に形成される第２嵌合部２２には導光体押え１５及びヒートシンク４が嵌合して挟持される。上記と同様に、リブ２０ｃを導光体１０の長手方向に分割して非連続的に複数設けて並設してもよい。ヒートシンク４の底部は長手方向に延び、導光体押え１５の図中、下方に配される。第２嵌合部２２内の導光体押え１５は導光体１０の長手方向の外側に設けられる。このため、導光体１０に対して空気層の隙間Ｄ（図４参照）を形成してヒートシンク４が保持される。これにより、隙間Ｄが導光体１０とヒートシンク４との間で断熱層となり、ヒートシンク４の熱による導光体１０の熱変形を防止することができる。
【００３３】
上記構成の照明装置１において、端子９ａに電力が供給されると光源２、３が点灯する。光源２、３の出射光はそれぞれ入射面１１ａ、１２ａを介して導光体１０の第１導光部１１及び第２導光部１２に入射し、導光体１０に導光される。
【００３４】
導光体１０に導光されて拡散部１０ｂに到達した光は拡散反射する。拡散部１０ｂで反射して導光体１０の周面に臨界角よりも小さい入射角で入射した光は矢印Ｓ１（図２参照）に示すように導光体１０から出射される。そして、カバー２０を透過した照明光により照明が行われる。拡散部１０ｂは導光体１０の長手方向に渡って連設されるため、照明装置１の長手方向の全体から照明光が出射される。
【００３５】
また、対向面１１ｂ、１２ｂに到達した光は反射シート１３で矢印Ｓ２（図２参照）に示すように反射して入射面１１ａ、１２ａの方向に導光される。即ち、反射シート１３は反射により導光の向きを可変する導光可変部を構成する。これにより、入射面１１ａ、１２ａを介して第１、第２導光部１１、１２の一方側から他方側へ抜けていく光量が減少する。従って、導光体１０の両端部に比較して光の出射量が少ない中央部から出射される照明光が増加して長手方向に渡って明るさを均一にすることができる。
【００３６】
また、導光体１０の第１、第２導光部１１、１２間には反射シート１３の厚みの隙間が形成される。該隙間は光の非出射領域となるため、長手方向に渡って出射される照明光に縞状の暗部が反射シート１３に対応する位置に形成される場合がある。しかしながら、カバー２０の透過光が拡散材によって拡散されるため、非出射領域の周囲の出射光が拡散して縞状の暗部を目立たなくすることができる。
【００３７】
本実施形態によると、反射シート１３（導光可変部）は導光体１０の導光を反射して中央部から出射される照明光を増加させる。従って、反射シート１３（導光可変部）を設けることにより、長手方向に延びる導光体１０から出射される照明光の明るさを均一にすることができる。
【００３８】
また、導光体１０が長手方向の中央部で対向面１１ｂ、１２ｂを対向して長手方向に並設される第１導光部１１及び第２導光部１２から成り、各対向面１１ｂ、１２ｂに反射シート１３を設けたので、導光体１０の中央部から出射される照明光を容易に増加させることができる。
【００３９】
また、入射面１１ａ、１２ａの一方から入射した光が導光して他方から出射されると、入射面１１ａ、１２ａの周囲では口金９やジョイント６等の構成部材により遮光されるので光の利用効率が低下する。更に、ＬＥＤである光源２、３が受光素子を形成し、光の吸収によって光源２、３の発光効率が低下する。これらによって、照明装置１の照明器具効率が低下する。このため、反射シート１３によって入射面１１ａ、１２ａから出射されて遮光または吸収される光を低減し、照明装置１の照明器具効率を向上することができる。
【００４０】
また、対向面１１ｂ、１２ｂに配されるシート状の反射シート１３によって導光体１０の長手方向の中央部から出射される照明光を容易に増加させることができる。
【００４１】
また、カバー２０が導光体１０の出射光を拡散反射する拡散材を含有するので、反射シート１３によって照明光の縞状の暗部を目立たなくすることができる。
【００４２】
次に、図７、図８は第２実施形態の照明装置１の導光体１０の長手方向の中央部を示す正面図及び上面図である。説明の便宜上、前述の図１〜図６に示す第１実施形態と同様の部分には同一の符号を付している。本実施形態は反射シート１３の配置が第１実施形態と異なっている。その他の部分は第１実施形態と同一である。
【００４３】
反射シート１３は導光体１０の周縁から所定距離離れて配置される。反射シート１３の厚みによって反射シート１３の周囲には第１、第２導光部１１、１２の隙間が形成される。これにより、対向面１１ｂ、１２ｂの周部が反射シート１３を介さずに互いに対向する。
【００４４】
拡散部１０ｂで反射した光の一部は導光体１０の周面から出射される。また、矢印Ｓ３に示すように反射シート１３を介さずに互いに対向する対向面１１ｂ、１２ｂの周部から第１、第２導光部１１、１２の隙間を介して出射される。これにより、対向面１１ｂ、１２ｂの周部から出射される照明光を増加させることができる。従って、第１実施形態と同様の効果に加え、反射シート１３による縞状の暗部を対向面１１ｂ、１２ｂの周部の出射光によって目立たなくすることができる。
【００４５】
次に、図９、図１０は第３実施形態の照明装置１の導光体１０の長手方向の中央部を示す正面図及び上面図である。説明の便宜上、前述の図７、図８に示す第２実施形態と同様の部分には同一の符号を付している。本実施形態は第１、第２導光部１１、１２の対向面１１ｂ、１２ｂの形状が第２実施形態と異なっている。その他の部分は第２実施形態と同一である。
【００４６】
第１、第２導光部１１、１２の対向面１１ｂ、１２ｂの周部にはそれぞれ面取り１１ｃ、１２ｃが施される。また、反射シート１３が導光体１０の周縁から所定距離離れ、面取り１１ｃ、１２ｃの内周側に配される。
【００４７】
拡散部１０ｂで反射した光は導光体１０の周面から出射されるとともに、矢印Ｓ４に示すように対向面１１ｂ、１２ｂの周部の面取り１１ｃ、１２ｃから出射される。これにより、第２実施形態と同様に、反射シート１３による縞状の暗部を面取り１１ｃ、１２ｃからの出射光によって目立たなくすることができる。
【００４８】
この時、拡散部１０ｂに対して面取り１１ｃ、１２ｃが傾斜するため、面取り１１ｃ、１２ｃに到達する光の入射角が小さくなる。これにより、対向面１１ｂ、１２ｂの周部での光の反射を低減し、反射シート１３の厚みによる第１、第２導光部１１、１２の隙間からの出射光を増加させることができる。従って、反射シート１３に対応する位置の縞状の暗部をより確実に目立たなくすることができる。
【００４９】
次に、図１１は第４実施形態の照明装置１の導光体１０の長手方向の中央部を示す正面図である。説明の便宜上、前述の図１〜図６に示す第１実施形態と同様の部分には同一の符号を付している。本実施形態は導光体１０の構成が第１実施形態と異なっている。その他の部分は第１実施形態と同一である。
【００５０】
導光体１０の長手方向の中央部には底面１０ｄから延びる溝部１０ｃが凹設される。溝部１０ｃの壁面によって対向面１１ｂ、１２ｂが形成され、第１、第２導光部１１、１２が溝部１０ｃの外側に形成される連結部１０ｆで連続する。
【００５１】
拡散部１０ｂで反射した光の一部は導光体１０の周面から出射されるとともに、矢印Ｓ５に示すように対向面１１ｂ、１２ｂの外側の連結部１０ｆから出射される。これにより、第１実施形態と同様の効果に加え、反射シート１３の厚みによる第１、第２導光部１１、１２の周部の隙間からの出射光を増加させることができる。従って、反射シート１３による縞状の暗部を連結部１０ｆの出射光によって目立たなくすることができる。
【００５２】
次に、図１２は第５実施形態の照明装置１の導光体１０の長手方向の中央部を示す正面図である。説明の便宜上、前述の図１〜図６に示す第１実施形態と同様の部分には同一の符号を付している。本実施形態は第１、第２導光部１１、１２の対向面１１ｂ、１２ｂの構成が第１実施形態と異なり、反射シート１３（図１参照）が省かれている。その他の部分は第１実施形態と同一である。
【００５３】
対向面１１ｂ、１２ｂにはサンドブラスト等による粗面化処理が施され、対向面１１ｂ、１２ｂに到達した導光は拡散透過する。これにより、粗面化処理を施した対向面１１ｂ、１２ｂによって導光の進行方向を可変する導光可変部が構成される。
【００５４】
導光体１０を導光して拡散部１０ｂで反射した光の一部は導光体１０の周面から出射される。また、対向面１１ｂ、１２ｂに到達した光は矢印Ｓ６に示すように拡散して出射される。
【００５５】
本実施形態によると、対向面１１ｂ、１２ｂに粗面化処理を施して導光を拡散する導光可変部を形成したので、導光体１０の導光を拡散して中央部から出射される照明光を増加させることができる。従って、粗面化処理によって導光を拡散させる導光可変部を設けることにより、長手方向に延びる導光体１０から出射される照明光の明るさを均一にすることができる。
【００５６】
また、導光体１０が長手方向の中央部で対向面１１ｂ、１２ｂを対向して長手方向に並設される第１導光部１１及び第２導光部１２から成り、各対向面１１ｂ、１２ｂに粗面化処理を施して導光可変部が形成されるので、導光体１０の中央部から出射される照明光を容易に増加させることができる。
【００５７】
この時、対向面１１ｂ、１２ｂを近接することができるため、反射シート１３（図２参照）を設けた場合の縞状の暗部の発生を防止することができる。
【００５８】
また、粗面化処理によって第１、第２導光部１１、１２の対向面１１ｂ、１２ｂを透過して入射面１１ａ、１２ａから出射される光を低減することができる。従って、照明装置１の照明器具効率を向上することができる。
【００５９】
尚、前述の図１１に示す第４実施形態と同様の溝部１０ｃを設け、溝部１０ｃの壁面に粗面化処理を施してもよい。また、光を拡散反射する部材を対向面１１ｂ、１２ｂに面して配置しても同様の効果を得ることができる。
【００６０】
次に、図１３は第６実施形態の照明装置１の導光体１０の長手方向の中央部を示す正面図である。説明の便宜上、前述の図１〜図６に示す第１実施形態と同様の部分には同一の符号を付している。本実施形態は導光体１０の構成が第１実施形態と異なり、反射シート１３（図２参照）が省かれている。その他の部分は第１実施形態と同一である。
【００６１】
導光体１０の長手方向の中央部には底面１０ｄから延びる断面三角形の溝部１０ｃが凹設される。溝部１０ｃの壁面によって傾斜面から成る対向面１１ｂ、１２ｂが形成され、第１、第２導光部１１、１２が溝部１０ｃの外側に形成される連結部１０ｆで連続する。
【００６２】
導光体１０に導光されて拡散部１０ｂで反射した光の一部は導光体１０の周面から出射される。また、対向面１１ｂ、１２ｂに到達した光は矢印Ｓ７に示すように底面１０ｄの反対方向に反射して導光体１０の周面から出射される。これにより、傾斜面から成る対向面１１ｂ、１２ｂによって導光を反射して進行方向を可変する導光可変部が構成される。
【００６３】
本実施形態によると、対向面１１ｂ、１２ｂの傾斜によって導光を出射方向に反射する導光可変部を形成したので、導光体１０の導光を反射して中央部から出射される照明光を増加させることができる。従って、導光を反射させる傾斜面から成る導光可変部を設けることにより、長手方向に延びる導光体１０から出射される照明光の明るさを均一にすることができる。
【００６４】
また、導光体１０が長手方向の中央部で対向面１１ｂ、１２ｂを対向して長手方向に並設される第１導光部１１及び第２導光部１２から成り、各対向面１１ｂ、１２ｂを傾斜して導光可変部が形成されるので、導光体１０の中央部から出射される照明光を容易に増加させることができる。
【００６５】
また、溝部１０ｃによって第１、第２導光部１１、１２の対向面１１ｂ、１２ｂを透過して入射面１１ａ、１２ａから出射される光を低減することができる。従って、照明装置１の照明効率を向上することができる。
【００６６】
尚、上記第１〜第６実施形態では、導光体１０の長手方向の中央部に照明光を均一にするための導光可変部が配置される例について示したが、導光可変部が配置される位置は前記中央部に限定されない。具体的には、例えば光源２、３から出射される光量の比率等に応じて、導光体１０からの照明光が均一となる長手方向の所定位置に導光可変部が配置されていればよい。
【００６７】
また第１〜第６実施形態において、光源２、３に電力を供給する電源基板を導光体１０の底面１０ｄとカバー２０との間に設置してもよい。また、照明装置１が天井壁に埋め込まれる所謂、スクエア型の場合は筒状のカバー２０を省いてもよい。
【産業上の利用可能性】
【００６８】
本発明によると、光源からの入射光を導光して周面から出射する導光体を備えた照明装置に利用することができる。
【符号の説明】
【００６９】
１    照明装置
２、３  光源
４    ヒートシンク
５    ヒートシンク押え
６    ジョイント
７、８    弾性体
９    口金
１０    導光体
１０ａ  鍔部
１０ｂ  拡散部
１０ｃ  溝部
１０ｄ  底面
１０ｆ  連結部
１１    第１導光部
１１ａ、１２ａ  入射面
１１ｂ、１２ｂ  対向面
１１ｃ、１２ｃ  面取り
１２    第２導光部
１３、１４  反射シート
１５    導光体押え
２０    カバー
２０ａ、２０ｂ、２０ｃ  リブ
２１    第１嵌合部
２２    第２嵌合部
【図１】
0005677863.tif 000002
【図２】
0005677863.tif 000003
【図３】
0005677863.tif 000004
【図４】
0005677863.tif 000005
【図５】
0005677863.tif 000006
【図６】
0005677863.tif 000007
【図７】
0005677863.tif 000008
【図８】
0005677863.tif 000009
【図９】
0005677863.tif 000010
【図１０】
0005677863.tif 000011
【図１１】
0005677863.tif 000012
【図１２】
0005677863.tif 000013
【図１３】
0005677863.tif 000014